(57)【要約】      （修正有）【課題】照明機能を有し、光線の射出角度を調整でき、光エネルギーにより、電池を充電でき、又は電力を持続に供給できる角度調整可能な発光帽子を提供する。【解決手段】バイザー基板１１が設けられ、バイザー基板の前端縁には、外側へ開口する収容空間が設けられる本体と、台座２１と、自在ランプユニット２２と、を備え、台座はバイザー基板の収容空間に設けられ、自在ランプユニットは、ベースと、ランプソケットと、を備え、ベースは、台座の溝に嵌め設けられ、長溝を有し、相対的な外側に軸チューブが対称的に設けられ、ランプソケットは、ベースに組み付けられて一体となり、その前端に発光子が複数設けられ、これらの発光子の正負端子と電気的に接続する二つのケーブルは、長溝を経由して軸チューブのチューブ穴を挿通し、ケーブルは電力供給装置と電気的に接続する照明装置２０と、を含む。【選択図】図２
0003176118.tif 000002
【実用新案登録請求の範囲】
【請求項１】
バイザー基板が設けられ、前記バイザー基板の前端縁には、外側へ開口する収容空間が設けられる本体と、
台座と、自在ランプユニットと、を備え、前記台座は前記バイザー基板の前記収容空間に設けられ、前記台座には、外側へ開口する溝が設けられ、前記溝の両側には、対称的に側板が設けられ、前記溝の底内側には、二つの前記側板をそれぞれ貫通する軸穴が二つ設けられ、前記自在ランプユニットは、ベースと、ランプソケットと、を備え、前記ベースは、前記台座の前記溝に嵌め設けられ、長溝を有し、相対的な外側に軸チューブが対称的に設けられ、前記軸チューブが前記溝にある前記軸穴に枢着され、前記軸チューブには、前記長溝と連通するチューブ穴が設けられ、前記ランプソケットは、前記ベースに組み付けられて一体となり、その前端に発光子が複数設けられ、これらの前記発光子の正負端子と電気的に接続する二つのケーブルは、前記長溝を経由して前記軸チューブの前記チューブ穴を挿通して、電力供給装置と電気的に接続し、前記電力供給装置は制御器を含み、前記制御器の内部には、電池と電気的に接続する制御回路が設けられ、前記制御回路は、制御ユニット、外部スロット及びソーラーパネルと電気的に接続し、前記制御ユニットは、オフ状態、オン状態及び電力出力状態に選択的に切替え可能であり、前記ソーラーパネルは前記電池を充電可能であり、前記外部スロットは、それと電気的に接続している電子装置を充電でき、又は前記電子装置に電力を供給できる照明装置と、
を含むことを特徴とする角度調整可能な発光帽子。
【請求項２】
前記バイザー基板の前記収容空間の相対的な内側には、係合溝が対称的に設けられ、前記台座の二つの側板の相対的な外側には、規制案内溝と、止め部と、が対称的に設けられ、前記規制案内溝は、前記バイザー基板の前記収容空間の相対的な内側にある側辺を規制でき、前記止め部は、前記収容空間の前記係合溝と係合できることを特徴とする、請求項１に記載の角度調整可能な発光帽子。
【請求項３】
前記台座の前記側板にある前記軸穴に内ラチェットが設けられ、前記ベースの前記軸チューブの周面には、前記軸チューブの軸方向に沿う歯が少なくとも一つ設けられ、前記歯は前記軸穴の前記内ラチェットと噛合うことを特徴とする、請求項１に記載の角度調整可能な発光帽子。
【考案の詳細な説明】
【技術分野】
【０００１】
本考案は、帽子に関し、特に、照明機能を有し、光線の射出角度を調整でき、光エネルギーにより、電池を充電でき、又は電力を持続に供給できる角度調整可能な発光帽子に関するものである。
【背景技術】
【０００２】
帽子は、その利用が極めて普遍であり、特殊な機能を有するものの他、太陽光を遮蔽し、又はユーザの外見を装飾することが一般的である。例えばアウトドアで活動するときには、帽子により太陽光を遮蔽でき、或いは酸性雨の頭に降ることを防止できる。科学技術の発展に従って、ある業者は発光子を帽子に組み付ける。このように、帽子に組み付けられる発光子が周囲を照明でき、手で懐中電灯を持つことが必要なくなる。
【０００３】
しかし、従来の発光帽子によれば、次のような欠点があった。
（１）発光子は、前方に向くようにバイザー基板の下端面に設けられ、光線の射出方向がバイザー基板の方向と同じである。ユーザは発光子が設けられる帽子を被った後、バイザー基板がユーザの目視方向に平行する場合には、発光子による光線の射出方向がユーザの目視方向と同じである。しかし、このような発光帽子によれば、ユーザの前方を効果よく照明できない。
【０００４】
（２）発光子に電力を供給する電池を充電できないため、電池の電力が切れた場合には、スペア電池を用意しないと、発光子を持続に発光できない。
【０００５】
（３）発光子に電力を供給する電池は、外部の電子装置（例えば携帯電話）を充電する機能を有しない。
【考案の概要】
【考案が解決しようとする課題】
【０００６】
本考案の主な目的は、照明機能を有し、光線の射出角度を調整でき、光エネルギーにより、電池を充電でき、又は電力を持続に供給できる角度調整可能な発光帽子を提供することにある。
【課題を解決するための手段】
【０００７】
本考案の角度調整可能な発光帽子によると、バイザー基板が設けられ、バイザー基板の前端縁には、外側へ開口する収容空間が設けられる本体と、
台座と、自在ランプユニットと、を備え、台座はバイザー基板の収容空間に設けられ、台座には、外側へ開口する溝が設けられ、溝の両側には、対称するように設けられる側板が設けられ、溝の底内側には、二つの側板をそれぞれ貫通する軸穴が二つ設けられ、自在ランプユニットは、ベースと、ランプソケットと、を備え、ベースは、台座の溝に嵌め設けられ、長溝を有し、相対的な外側に軸チューブが対称的に設けられ、軸チューブが溝にある軸穴に枢着され、軸チューブには、長溝と連通するチューブ穴が設けられ、ランプソケットは、ベースに組み付けられて一体となり、その前端に発光子が複数設けられ、これらの発光子の正負端子と電気的に接続する二つのケーブルは、長溝を経由して軸チューブのチューブ穴を挿通して、電力供給装置と電気的に接続し、電力供給装置は制御器を含み、制御器の内部には、電池と電気的に接続する制御回路が設けられ、制御回路は、制御ユニット、外部スロット及びソーラーパネルと電気的に接続し、制御ユニットは、オフ状態、オン状態及び電力出力状態に選択的に切替え可能であり、ソーラーパネルは電池を充電可能であり、外部スロットは、それと電気的に接続している電子装置を充電でき、又は電子装置に電力を供給できる照明装置と、
を含むことを特徴とする。
【０００８】
本考案の角度調整可能な発光帽子によると、バイザー基板の収容空間の相対的な内側には、係合溝が対称的に設けられ、台座の二つの側板の相対的な外側には、規制案内溝と、止め部と、が対称的に設けられ、規制案内溝は、バイザー基板の収容空間の相対的な内側にある側辺を規制でき、止め部は、収容空間の係合溝と係合できることを特徴とする。
【０００９】
本考案の角度調整可能な発光帽子によると、台座の側板にある軸穴に内ラチェットが設けられ、ベースの軸チューブの周面には、軸チューブの軸方向に沿う歯が少なくとも一つ設けられ、歯は軸穴の内ラチェットと噛合うことを特徴とする。
【考案の効果】
【００１０】
本考案の角度調整可能な発光帽子によれば、照明機能を有し、光線の射出角度を調整でき、光エネルギーにより、電池を充電でき、又は電力を持続に供給できるという効果を有する。
【図面の簡単な説明】
【００１１】
【図１】本考案の一実施例の組合済み状態を示す斜視図である。
【図２】本考案の一実施例の一部を示す分解斜視図である。
【図３】図２の組合済み状態を示す斜視図である。
【図４】図２の組合済み状態を示す平面図である。
【図５】図４のＡ-Ａ線の断面図である。
【図６】図４のＢ-Ｂ線の断面図である。
【図７】本考案の一実施例の下方から見た斜視図である。
【図８】本考案の一実施例の電力供給装置を示す斜視図である。
【考案を実施するための形態】
【００１２】
以下、本考案の実施の形態を図面に基づいて説明する。
まず、図１乃至図８を参照する。本考案の一実施例の角度調整可能な発光帽子は、本体１０と、照明装置２０と、を含む。
【００１３】
本体１０には、バイザー基板１１と、バイザー基板１１の一端に連接される被り部１２と、が設けられる。バイザー基板１１の前端縁には、外側へ開口する収容空間１１１が設けられる。収容空間１１１の底内側には、係合溝１１２が対称的に設けられる。
【００１４】
照明装置２０は、台座２１と、自在ランプユニット２２と、を備える。台座２１は、バイザー基板１１の収容空間１１１に設けられ、係合溝１１２と係合する。台座２１には、外側へ開口する溝２１１が設けられる。溝２１１の両側には、対称するように設けられる側板２１２が設けられる。溝２１１の底内側には、二つの側板２１２をそれぞれ貫通する軸穴２１３が二つ設けられる。軸穴２１３の周面に内ラチェット２１４が設けられる。台座２１の二つの側板２１２の相対的な外側には、規制案内溝２１５と、止め部２１６と、が対称的に設けられる。規制案内溝２１５は、バイザー基板１１の収容空間１１１の相対的な内側にある側辺を規制できる。止め部２１６は収容空間１１１の係合溝１１２と係合できる。このように、台座２１とバイザー基板１１とを嵌合した後、台座２１が収容空間１１１の上下端、又は前開口端から離脱できない。
【００１５】
自在ランプユニット２２は、ベース２３と、ランプソケット２４と、を備える。ベース２３は、台座２１の溝２１１に嵌め設けられ、長溝２３１を有し、相対的な外側に軸チューブ２３２が対称的に設けられる。軸チューブ２３２には、長溝２３１と連通するチューブ穴２３３が対称的に設けられる。軸チューブ２３２は台座２１の軸穴２１３に枢着される。軸チューブ２３２の周面には、軸チューブ２３２の軸方向に沿う歯２３４が少なくとも一つ設けられる。歯２３４は軸穴２１３の内ラチェット２１４と噛合う。このように、軸チューブ２３２の角度を段階的に定位できる。一方、ベース２３には、ランプソケット２４と連結する凸部２３５が対称的に設けられる。
【００１６】
ランプソケット２４の相対的な外側には、凸部２３５と嵌合する凹部２４１が対称的に設けられる。ランプソケット２４は、その前端に発光子２４２が複数設けられ、その後端に仕切板２４３が設けられる。ベース２３の長溝２３１に仕切板２４３を嵌め設けることにより、長溝２３１は二つの独立な空間に仕切られる。このように、仕切板２４３により、複数の発光子２４２のランプソケット２４の後端を挿通して延びる発光子２４２の正負端子が間隔される。これらの発光子２４２の正負端子と電気的に接続する二つのケーブル２４４は、それぞれベース２３の軸チューブ２３２にあるチューブ穴２３３を挿通して、電力供給装置３０と電気的に接続する。
【００１７】
台座２１の軸穴２１３、２１３に自在ランプユニット２２のベース２３の軸チューブ２３２、２３２をそれぞれ枢着した後、自在ランプユニット２２の角度を調整でき、ランプソケット２４の前端に設けられる複数の発光子２４２の光線の射出角度を調整できる。そして軸穴２１３の内周面にある内ラチェット２１４が軸チューブ２３２の歯２３４と噛合うことにより、自在ランプユニット２２の角度を調整した後、自在ランプユニット２２を安定に固定できる。
【００１８】
バイザー基板１１の収容空間１１１及び係合溝１１２に照明装置２０を組み付けた後、布層１３によりバイザー基板１１の表面を覆う。このように、照明装置２０の離脱を防止できる。
【００１９】
本考案の一実施例のランプソケット２４の凹部２４１、２４１は、相対的な内側において開口端から内側へ徐々に縮径する。ベース２３の凸部２３５、２３５は、凹部２４１、２４１とそれぞれ嵌合できる。すなわち、ベース２３の凸部２３５、２３５は外側へ徐々に縮径する。このように、凹部２４１、２４１に、それに対応する凸部２３５、２３５を快速に組み付けることができる。
【００２０】
本考案の一実施例のランプソケット２４の前端の下辺に凸縁２４５が設けられることにより、ユーザの手がランプソケット２４の角度を調整するときには、ユーザの手が滑らず、ランプソケット２４の角度を確実に調整できる。
【００２１】
本考案の一実施例の電力供給装置３０は制御器３１を含む。制御器３１の内部には、電池３３と電気的に接続する制御回路３２が設けられる。電池３３はリチウムイオン電池でもよい。制御回路３２は、制御ユニット３４、外部スロット３５及びソーラーパネル３６と電気的に接続する。制御ユニット３４は、オフ状態３４１、オン状態３４２及び電力出力状態３４３に選択的に切替え可能である。オフ状態３４１とは、電池３３の電力の供給を中断することである。オン状態３４２とは、電池３３の電力を発光子２４２に供給すると共に、ソーラーパネル３６により電池３３を持続に充電し、或いは外部スロット３５と電気的に接続する電源により電池３３を持続に充電することにある。電力出力状態３４３とは、外部スロット３５を介して、電池３３の電力を外部の電子装置（例えば携帯電話やＭＰ３プレーヤーなど）（図示せず）に供給することにある。
【００２２】
本実施例では、制御器３１には、制御回路３２と電気的に接続する指示ランプ３７が設けられる。制御ユニット３４がオン状態３４２又は電力出力状態３４３に切替えられたときには、指示ランプ３７が点灯される。
【００２３】
本実施例では、ソーラーパネル３６がバイザー基板１１の上面に設けられる。
【００２４】
本実施例では、発光子２４２と制御回路３２との間にある接続回路に照明スイッチ３８が設けられる。照明スイッチ３８により、発光子２４２を、発光せず、持続に発光し、又は点滅に発光する状態に切替えることができる。
【００２５】
本実施例では、被り部１２の内壁面に弾性付きスペーサー１４が設けられる。弾性付きスペーサー１４に収容袋１４１が設けられる。弾性付きスペーサー１４は、樹脂発泡材を採用し、触感が極めて柔軟である。収容袋１４１は、弾性付きスペーサー１４と被り部１２との間に設けられ、電力供給装置３０を収容できる。
【００２６】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２７】
本考案は、帽子に適用することができる。
【符号の説明】
【００２８】
１０：本体
１１：バイザー基板
１２：被り部
１３：布層
１４：弾性付きスペーサー
２０：照明装置
２１：台座
２２：自在ランプユニット
２３：ベース
２４：ランプソケット
３０：電力供給装置
３１：制御器
３２：制御回路
３３：電池
３４：制御ユニット
３５：外部スロット
３６：ソーラーパネル
３７：指示ランプ
３８：照明スイッチ
１１１：収容空間
１１２：係合溝
１４１：収容袋
２１１：溝
２１２：側板
２１３：軸穴
２１４：内ラチェット
２１５：規制案内溝
２１６：止め部
２３１：長溝
２３２：軸チューブ
２３３：チューブ穴
２３４：歯
２３５：凸部
２４１：凹部
２４２：発光子
２４３：仕切板
２４４：ケーブル
３４１：オフ状態
３４２：オン状態
３４３：電力出力
【図１】
0003176118.tif 000003
【図２】
0003176118.tif 000004
【図３】
0003176118.tif 000005
【図４】
0003176118.tif 000006
【図５】
0003176118.tif 000007
【図６】
0003176118.tif 000008
【図７】
0003176118.tif 000009
【図８】
0003176118.tif 000010